(57)【要約】【課題】ハイドロフルオロカーボン及びハイドロフルオロエーテルから選択される１種以上のフッ素系溶媒を含有する溶剤組成物であって、人体への影響があるグリコールエーテルを含まない、様々な種類の油による汚れに対して優れた洗浄力を発揮する溶剤組成物を提供すること。【解決手段】油が付着した被洗浄物を洗浄するための溶剤組成物であって、（ａ）植物系脂肪酸エステル、及び（ｂ）オゾン破壊係数がゼロで、引火点が無い、ハイドロフルオロカーボン及びハイドロフルオロエーテルからなる群より選択される１種以上のフッ素系溶媒を含み、（ａ）成分と（ｂ）成分の重量の比（（ａ）：（ｂ））が、１５：８５〜９９：１である、溶剤組成物。【選択図】なし【特許請求の範囲】
【請求項１】
油が付着した被洗浄物を洗浄するための溶剤組成物であって、
（ａ）植物系脂肪酸エステル、及び
（ｂ）オゾン破壊係数がゼロで、引火点が無い、ハイドロフルオロカーボン及びハイドロフルオロエーテルからなる群より選択される１種以上のフッ素系溶媒を含み、
（ａ）成分と（ｂ）成分の重量の比（（ａ）：（ｂ））が、１５：８５〜９９：１である溶剤組成物。
【請求項２】
（ａ）成分と（ｂ）成分の重量の比が、２０：８０〜９９：１である、請求項１記載の溶剤組成物。
【請求項３】
（ａ）成分が、Ｃ１４〜Ｃ１８不飽和脂肪酸メチルエステルから選択される１種以上の植物系不飽和脂肪酸エステルであり、（ｂ）成分が、１，１，１，３，３−ペンタフルオロブタン、メチルノナフルオロイソブチルエーテル、メチルノナフルオロｎ−ブチルエーテル、メチルノナフルオロイソブチルエーテルとメチルノナフルオロｎ−ブチルエーテルとの混合物、又は１，１，１，２，２，３，４，５，５，５−デカフルオロ−３−メトキシ−４−（トリフルオロメチル）−ペンタンである、請求項１又は２記載の溶剤組成物。
【請求項４】
（ａ）成分が、大豆油脂肪酸エステルであり、（ｂ）成分が、１，１，１，３，３−ペンタフルオロブタン、メチルノナフルオロイソブチルエーテル、メチルノナフルオロｎ−ブチルエーテル、メチルノナフルオロイソブチルエーテルとメチルノナフルオロｎ−ブチルエーテルとの混合物、又は１，１，１，２，２，３，４，５，５，５−デカフルオロ−３−メトキシ−４−（トリフルオロメチル）−ペンタンである、請求項１〜３のいずれか１項記載の溶剤組成物。
【請求項５】
さらに、（ａ）成分及び（ｂ）成分の合計１００重量部に対して、（ｃ）炭化水素系溶剤、（ｄ）モノテルペン系溶剤及び（ｅ）アルコール類からなる群より選択される１種以上の有機溶剤を０．１〜５０重量部含有する、請求項１〜４いずれか１項記載の溶剤組成物。
【発明の詳細な説明】
【技術分野】
【０００１】
本発明は、洗浄用溶剤組成物に関し、さらに詳しくは、油等が付着した被洗浄物を洗浄するための溶剤組成物に関する。
【背景技術】
【０００２】
従来、精密機械工業、光学機器工業、電気電子工業、及びプラスチック加工業等において、製造加工工程等で付着した油（例えば、切削油、プレス油、引抜き油、熱処理油、防錆油、潤滑油、加工油、グリース、フラックス、樹脂、ワックス）、及び塵埃を除去するための精密洗浄に、フッ素系溶剤等が用いられている。特に、不燃性で化学的及び熱的安定性に優れ、油脂類に対して溶解力のあるフッ素系溶剤として、ジクロロペンタフルオロプロパン（Ｒ２２５）およびジクロロフルオロエタン（Ｒ−１４１ｂ）等のハイドロクロロフルオロカーボン（以下、ＨＣＦＣと記す。）が広く使われている。しかし、ＨＣＦＣはオゾン破壊係数を有するため、先進国においては２０２０年に生産が全廃されることが決定されている。
【０００３】
そこで、近年では、ＨＣＦＣに代わる溶剤の開発が進められており、その１つとして、ハイドロフルオロエーテル（以下、ＨＦＥという。）と、ハイドロフルオロカーボン（以下、ＨＦＣという。）が注目されている。ＨＦＥ及びＨＦＣは、不燃性であり、化学的および熱的安定性に優れ、乾燥性が良好であり、オゾン破壊係数がゼロで地球温暖化係数が比較的小さい等の利点を有する。しかし、ＨＦＥ及びＨＦＣは、塩素及び臭素を含まないため、油脂類の汚れ等の溶解性が十分ではなく、さらなる溶解性能の向上が望まれていた。
【０００４】
そこでこの溶解性を上げるために、ＨＦＥやＨＦＣと他の溶解性を有する溶剤との混合溶剤が種々提案されている。
【０００５】
特許文献１には、分子中に塩素原子を含まないフッ素系溶剤と、炭化水素系溶剤と、グリコールエーテル類とを含む層分離しない溶剤組成物であって、該溶剤組成物における該フッ素系溶剤と該炭化水素系溶剤の組成比率が、該フッ素系溶剤と該炭化水素系溶剤のみの当該組成比率の二成分混合物では二層に分離する組成比率であることを特徴とする溶剤組成物が記載されている。
【０００６】
しかし、特許文献１に記載された、ＨＦＣやＨＦＥと混合される溶剤であるグリコールエーテル類（具体的にはジエチレングリコールモノメチルエーテル、ジエチレングリコールモノエチルエーテル、ジエチレングリコールモノノルマルプロピルエーテルなど）は、合成化学物質であり、環境負荷や毒性の点で人体への影響が高いなどの問題を有していた。
【先行技術文献】
【特許文献】
【０００７】
【特許文献１】特開２００３−３２７９９９号公報
【発明の概要】
【発明が解決しようとする課題】
【０００８】
本発明は、ハイドロフルオロカーボン及びハイドロフルオロエーテルから選択される１種以上のフッ素系溶媒を含有する溶剤組成物であって、人体への影響があるグリコールエーテルを含まない、様々な種類の油による汚れに対して優れた洗浄力を発揮する溶剤組成物を提供することを目的とする。
【課題を解決するための手段】
【０００９】
本発明者らは、前記の課題を解決するべく鋭意研究を重ねた結果、ハイドロフルオロカーボン及びハイドロフルオロエーテルからなる群より選択される１種以上のフッ素系溶媒と、植物系脂肪酸エステルとを主成分とする溶剤組成物が、前記の問題を解決できることを見出し本発明に至った。
【００１０】
すなわち、本発明は、油が付着した被洗浄物を洗浄するための溶剤組成物であって、（ａ）植物系脂肪酸エステル、及び（ｂ）オゾン破壊係数がゼロで、引火点が無い、ハイドロフルオロカーボン及びハイドロフルオロエーテルからなる群より選択される１種以上のフッ素系溶媒を含み、（ａ）成分と（ｂ）成分の重量の比（（ａ）：（ｂ））が、１５：８５〜９９：１である溶剤組成物に関する。
本発明は、（ａ）成分と（ｂ）成分の重量の比が、２０：８０〜９９：１である、前記に記載の溶剤組成物に関する。
本発明は、（ａ）成分が、Ｃ１４〜Ｃ１８不飽和脂肪酸メチルエステルから選択される１種以上の植物系不飽和脂肪酸エステルであり、（ｂ）成分が、１，１，１，３，３−ペンタフルオロブタン、メチルノナフルオロイソブチルエーテル、メチルノナフルオロｎ−ブチルエーテル、メチルノナフルオロイソブチルエーテルとメチルノナフルオロｎ−ブチルエーテルとの混合物、又は１，１，１，２，２，３，４，５，５，５−デカフルオロ−３−メトキシ−４−（トリフルオロメチル）−ペンタンである、前記に記載の溶剤組成物に関する。
本発明は、（ａ）成分が、大豆油脂肪酸エステルであり、（ｂ）成分が、１，１，１，３，３−ペンタフルオロブタン、メチルノナフルオロイソブチルエーテル、メチルノナフルオロｎ−ブチルエーテル、メチルノナフルオロイソブチルエーテルとメチルノナフルオロｎ−ブチルエーテルとの混合物、又は１，１，１，２，２，３，４，５，５，５−デカフルオロ−３−メトキシ−４−（トリフルオロメチル）−ペンタンである、前記に記載の溶剤組成物に関する。
本発明は、さらに、（ａ）成分及び（ｂ）成分の合計１００重量部に対して、（ｃ）炭化水素系溶剤、（ｄ）モノテルペン系溶剤及び（ｅ）アルコール類からなる群より選択される１種以上の有機溶剤を０．１〜５０重量部含有する、前記に記載の溶剤組成物に関する。
【発明の効果】
【００１１】
本発明により、ハイドロフルオロカーボン及びハイドロフルオロエーテルから選択される１種以上のフッ素系溶媒を含有する溶剤組成物であって、人体への影響があるグリコールエーテルを含まない、様々な種類の油による汚れに対して優れた洗浄力を発揮する溶剤組成物が提供される。また、本発明の溶剤組成物は、オゾン層を破壊せず、地球温暖化係数が低く、人体に対する安全性が高く、引火点を示さない溶剤組成物である。また、人体への影響が低減されることにより、自然界での動植物への影響も低減されるため、環境負荷が低い溶剤組成物でもある。
【発明を実施するための形態】
【００１２】
本発明の溶剤組成物は、（ａ）植物系脂肪酸エステル、及び（ｂ）オゾン破壊係数がゼロで、引火点が無い、ハイドロフルオロカーボン及びハイドロフルオロエーテルからなる群より選択される１種以上のフッ素系溶媒を含み、（ａ）成分と（ｂ）成分の重量の比（（ａ）：（ｂ））が、１５：８５〜９９：１である。
【００１３】
本発明の（ａ）成分は、植物系脂肪酸エステルである。本発明における植物系脂肪酸エステルとしては、植物油の加水分解で得られる飽和または不飽和脂肪酸と、飽和または不飽和アルコールとをエステル反応させてなる脂肪酸モノエステルを挙げることができる。植物系脂肪酸エステルは、単独で使用しても、数種類を混合して使用してもよい。
【００１４】
植物油は、グリセリンと脂肪酸とのトリグリセリドである。植物油として、アマニ油、キリ油、ゴマ油、サフラワー油、大豆油、ヒマシ油、綿実油、ヤシ油、コーン油及び脱水ヒマシ油等が挙げられる。本発明における植物系脂肪酸エステルを構成する飽和または不飽和脂肪酸は、例えば、ヤシ油脂肪酸、パーム油脂肪酸、ナタネ油脂肪酸、大豆油脂肪酸、アマニ油脂肪酸、キリ油脂肪酸、トール油脂肪酸、コーン油脂肪酸及び脱水ヒマシ油脂肪酸が挙げられる。これらは、飽和脂肪酸及び不飽和脂肪酸の混合物である。
【００１５】
植物系脂肪酸エステルとして、上記植物油脂肪酸、すなわち、ラウリン酸、ミリスチン酸、パルミチン酸、ステアリン酸、オレイン酸、リノール酸、リノレン酸、及びエレオステアリン酸等の、炭素数１２〜２０（Ｃ１２〜Ｃ２０）の不飽和結合を有していてもよい炭素鎖を有する脂肪酸の、メチル、エチル、プロピル、イソプロピル、ブチル、イソブチル、ｔｅｒｔ−ブチル、２−エチルヘキシル等の炭素数１〜８のアルキルエステルが挙げられる。
【００１６】
不飽和脂肪酸エステルの具体例は、オレイン酸メチル、オレイン酸エチル、オレイン酸ブチル、オレイン酸アリル、オレイン酸イソアミル、オレイン酸ヘプチル、オレイン酸−２−エチルヘキシル、リノール酸メチル、リノール酸エチル、リノール酸アリル、リノール酸プロピル、リノール酸イソプロピル、リノール酸ブチル、リノール酸イソブチル、リノレン酸メチル、リノレン酸エチル、リノレン酸ブチル、リノレン酸イソブチル、リノレン酸−ｔｅｒｔ−ブチル等が挙げられる。
【００１７】
飽和脂肪酸エステルの具体例は、ラウリン酸メチル、ラウリン酸エチル、ラウリン酸アリル、ラウリン酸プロピル、ラウリン酸イソプロピル、ラウリン酸ブチル、ラウリン酸イソブチル、パルミチン酸メチル、パルミチン酸エチル、パルミチン酸プロピル、パルミチン酸イソプロピル、パルミチン酸ブチル、パルミチン酸イソブチル、ステアリン酸メチル、ステアリン酸エチル、ステアリン酸プロピル、ステアリン酸イソプロピル、ステアリン酸ブチル、及びステアリン酸イソブチル等が挙げられる。
【００１８】
本発明において、Ｃ１２〜Ｃ１８不飽和脂肪酸エステルの混合物が好ましく、Ｃ１２〜Ｃ１８不飽和脂肪酸メチルエステルの混合物がより好ましい。このような不飽和脂肪酸の混合物として、大豆油脂肪酸エステル（例えば、大豆油脂肪酸メチルエステル、大豆油脂肪酸エチルエステル、大豆油脂肪酸ブチルエステルなど）が好ましい。ここで、一般的に、大豆油を構成する脂肪酸には、オレイン酸およびリノール酸の他に、パルミチン酸、ステアリン酸、リノレン酸等があるため、本発明において使用される大豆油脂肪酸エステルは、リノール酸エステル、オレイン酸エステルの他に、パルミチン酸エステル、ステアリン酸エステル、リノレン酸エステル等を含み得る。
【００１９】
本発明の（ａ）成分は、市販品として、カネダ株式会社製の植物油ベースソルベント  ベジソル（登録商標）シリーズ、例えば「ベジソルＭＴ」、「ベジソルＣＭ」、「ベジソルＭＭ」、「ベジソルＭＢ」、「ベジソルＰＲ」が挙げられる。ここで、ベジソルＣＭ及び、ベジソルＭＭは、大豆油脂肪酸エステルである。
【００２０】
本発明の（ｂ）成分は、オゾン破壊係数がゼロで、引火点がない、ハイドロフルオロカーボン及びハイドロフルオロエーテルからなる群より選択される１種以上のフッ素系溶媒である。これらは、単独で使用しても、数種類を混合して使用してもよい。ハイドロフルオロカーボンは、炭素原子、フッ素原子及び水素原子からなる化合物である。ハイドロフルオロエーテルは、炭素原子、フッ素原子、水素原子及びエーテル結合（−Ｏ−）からなる化合物である。
【００２１】
オゾン破壊係数がゼロで、引火点がないハイドロフルオロカーボン（ＨＦＣ）としては、例えば、１，１，１，３，３−ペンタフルオロブタン（Ｃ４Ｈ５Ｆ５、地球温暖化係数７００）、ヘプタフルオロシクロペンタン（Ｃ５Ｈ３Ｆ７、地球温暖化係数２５０）等が挙げられ、比較的地球温暖化係数が低い点で、１，１，１，３，３−ペンタフルオロブタンが好ましい。ＨＦＣの市販品として、具体的には、Ｃ４Ｈ５Ｆ５の日本ソルベイ社のソルカン（登録商標）３６５ｍｆｃ、フランスのアルケマ社のフォラン（Forane、登録商標）３６５ｍｆｃ、フォラン（Forane、登録商標）３６５ｍｆｃ／２２７ｅａ、Ｃ５Ｈ３Ｆ７の日本ゼオン社製ゼオローラ（商品名）等を挙げることができる。
【００２２】
本発明において、引火点が無いとは、JIS K2265「油及び石油製品−引火点試験方法」による引火点測定により引火点が認められないことをいう。
【００２３】
オゾン破壊係数がゼロで、引火点がないハイドロフルオロエーテル（ＨＦＥ）としては、例えば、メチルノナフルオロｎ−ブチルエーテル（地球温暖化係数２９７）とメチルノナフルオロイソブチルエーテル（地球温暖化係数２９７）の混合物である住友スリーエム社製ノベックＨＦＥ７１００（地球温暖化係数２９７）、エチルノナフルオロｎ−ブチルエーテル（地球温暖化係数５９）とエチルノナフルオロイソブチルエーテル（地球温暖化係数５９）の混合物であるノベックＨＦＥ７２００（地球温暖化係数５９）、１，１，２，２−テトラフルオロ−１−（２，２，２−トリフルオロエトキシ）エタンである旭硝子製ＡＥ３０００（ＨＦＥ−３４７ｐｃｆ）（地球温暖化係数５３０）、主成分を１，１，１，２，２，３，４，５，５，５−デカフルオロ−３−メトキシ−４−（トリフルオロメチル）ペンタンとするノベックＨＦＥ７３００（地球温暖化係数２１０）、１，１，１，２，３，３−ヘキサフルオロ−４−（１，１，２，３，３，３−ヘキサフルオロプロポキシ）−ペンタンが挙げられる。好ましくは、メチルノナフルオロｎ−ブチルエーテル、メチルノナイソブチルエーテル、エチルノナフルオロブチルエーテル、エチルノナイソブチルエーテル、メチルノナフルオロブチルエーテル及びメチルノナイソブチルエーテルの混合物、並びにエチルノナフルオロブチルエーテル及びエチルノナイソブチルエーテルの混合物である。
【００２４】
ＨＦＥにおいて、２以上のハイドロフルオロエーテル化合物の混合物を用いる場合、これらの成分の含有量の比は任意であってよい。例えば、ＨＦＥとして、メチルパーフルオロブチルエーテル及びメチルパーフルオロイソブチルエーテルの混合物を用いる場合、メチルパーフルオロブチルエーテル及びメチルパーフルオロイソブチルエーテルの混合物の重量に対して、メチルパーフルオロブチルエーテルは５〜９５重量％が好ましく、５０〜８０重量％がより好ましい。
【００２５】
本発明の溶剤組成物において、（ａ）成分と（ｂ）成分の重量の比（（ａ）：（ｂ））は、好ましくは２０：８０〜９９：１であり、より好ましくは５０：５０〜７０：３０である。このような範囲であれば、油に対して優れた溶解力を有し、油が付着した被洗浄物に対する浸透力が高くなり、洗浄時間が短くなる。また、洗浄後に被洗浄物に洗浄しみが残らず、かつ被洗浄物に対する乾燥性が優れ、洗浄時間が短くなり、さらなるすすぎ工程を必要としない点で良好である。また、溶剤組成物の重量に対して、（ａ）成分及び（ｂ）成分の合計量は、好ましくは６０〜１００重量％であり、より好ましくは７０〜１００重量％であり、さらに好ましくは１００重量％である。
【００２６】
本発明の溶剤組成物は、本発明の目的を損なわない範囲で、（ｃ）炭化水素系溶剤、（ｄ）モノテルペン系溶剤、及び（ｅ）アルコール類からなる群より選択される１種以上の有機溶剤を添加することができる。これらは、単独で使用しても、数種類を混合して使用してもよい。
【００２７】
炭化水素系溶剤として、パラフィン系炭化水素、イソパラフィン系炭化水素、ナフテン系炭化水素、及び芳香族系炭化水素が挙げられる。これらの炭化水素系溶剤は、単独で使用しても、数種類を混合して使用してもよい。
【００２８】
パラフィン系炭化水素は、直鎖状の脂肪族炭化水素であり、例えば、ｎ−ヘキサン、ｎ−ヘプタン、ｎ−オクタン、ｎ−ノナン、ｎ−デカン、ｎ−ウンデカン、ｎ−テトラデカン、ｎ−ヘキサデカン、ｎ−エイコサン、ｎ−テトラコサン、及びｎ−ヘキサコサン等が挙げられる。パラフィン系炭化水素系の溶剤は、市販品として、ＮＳクリーン１００ＪＸ（日鉱日石エネルギー株式会社）が挙げられる。
【００２９】
イソパラフィン系炭化水素は、分岐状の脂肪族炭化水素であり、例えば、ヘキサメチルエタン、２−メチルヘプタン、３−メチルヘプタン、２，２，４−トリメチルヘプタン、２，３−ジメチルヘプタン、２−メチルノナン、２−メチル−３−エチルヘプタン、２−メチルデカン、２，３，４−トリメチルデカン、２，３−ジメチルウンデカン、２−メチルドデカン、２−メチルプロピル−３−ドデカン、２−エチルウンデカン、及び２−メチルトリデカン等が挙げられる。
【００３０】
ナフテン系炭化水素は、炭化水素基を置換基として有していてもよい環状構造有する脂肪族飽和炭化水素であり、例えば、シクロヘキサン、メチルシクロヘキサン、エチルシクロヘキサン、プロピルシクロヘキサン、ブチルシクロヘキサン、２−メチルプロピルシクロヘキサン、２−シクロヘキシルオクタン、９−シクロヘキシルヘプタデカン、１，２−ジシクロヘキシルエタン、及び１，１−ジシクロヘキシルテトラデカン等が挙げられる。
【００３１】
芳香族系炭化水素としては、例えば、１，２−ジフェニルエタン、１，１−ジフェニルテトラデカン、９−ｎ−ドデシルフェナントレン、及び９−ｎ−ドデシルアントラセン等が挙げられる。
【００３２】
モノテルペン系溶剤は、単環式、非環式、多環式のいずれであっても良い。モノテルペン系溶剤として、メンタン（Ｃ１０Ｈ２０）、ｄ−リモネン（Ｃ１０Ｈ１６）、ｌ−リモネン（Ｃ１０Ｈ１６）、フェランドレン（Ｃ１０Ｈ１６）、テルピノレン（Ｃ１０Ｈ１６）、テルピネン（Ｃ１０Ｈ１６）、α−ピネン（Ｃ１０Ｈ１６）、β−ピネン（Ｃ１０Ｈ１６）、シメン（Ｃ１０Ｈ１４）等の単環又は非環式のモノテルペン；カラン（Ｃ１０Ｈ１８）、ツジャン（Ｃ１０Ｈ１８）、ピナン（Ｃ１０Ｈ１８）等の二環式モノテルペンが挙げられる。これらのモノテルペン系溶剤は、これらは、単独で使用しても、数種類を混合して使用してもよい。モノテルペン系溶剤の混合物として、テレビン油が挙げられる。モノテルペン化合物として、ｄ−リモネンが好ましい。
【００３３】
アルコール類としては、エタノール、及びｎ−プロピルアルコールなどが挙げられる。これらのアルコール類は、単独で使用しても、数種類を混合して使用してもよい。
【００３４】
本発明において、（ｃ）成分、（ｄ）成分及び（ｅ）成分の含有量は、（ａ）成分及び（ｂ）成分の合計１００重量部に対して、好ましくは０〜６６．７重量部であり、より好ましくは０．１重量部〜５０重量部であり、さらに好ましくは０．１〜３０重量部である。（ｃ）成分、（ｄ）成分及び（ｅ）成分の含有量は、（ｃ）成分、（ｄ）成分及び（ｅ）成分を混合物として用いるときは、（ｃ）成分、（ｄ）成分及び（ｅ）成分の合計量である。なお、本発明の溶剤組成物が、さらに、（ｃ）成分、（ｄ）成分及び（ｅ）成分からなる群より選択される１種以上の有機溶剤を含む場合であっても、本発明の溶剤組成物は、溶剤組成物に対して、好ましくは（ｂ）成分を１重量％以上含む。
【００３５】
よって、本発明の好ましい溶剤組成物は、（ａ）成分１５〜９９重量％及び（ｂ）成分１〜８５重量％からなる溶剤組成物；（ａ）成分２０〜９９重量％及び（ｂ）成分１〜８０重量％からなる溶剤組成物；（ａ）成分１５〜９９重量部及び（ｂ）成分１〜８５重量部の合計１００重量部に対して、（ｃ）成分、（ｄ）成分及び（ｅ）成分からなる群より選択される１種以上の有機溶剤０．１重量部〜５０重量部からなる溶剤組成物；（ａ）成分２０〜９９重量部及び（ｂ）成分１〜８０重量部の合計１００重量部に対して、（ｃ）成分、（ｄ）成分及び（ｅ）成分からなる群より選択される１種以上の有機溶剤０．１重量部〜５０重量部からなる溶剤組成物；（ａ）成分５０〜７０重量部及び（ｂ）成分３０〜５０重量部の合計１００重量部に対して、（ｃ）成分、（ｄ）成分及び（ｅ）成分からなる群より選択される１種以上の有機溶剤０．１重量部〜５０重量部からなる溶剤組成物である。
【００３６】
本発明の溶剤組成物は、原料成分である（ａ）植物系脂肪酸エステル、（ｂ）オゾン破壊係数がゼロで、引火点が無い、ハイドロフルオロカーボン及びハイドロフルオロエーテルからなる群より選択される１種以上のフッ素系溶媒、並びに場合により（ｃ）炭素水素系溶剤、（ｄ）モノテルペン系溶剤及び（ｅ）アルコール類を混合することにより製造することができる。
【００３７】
本発明の溶剤組成物は、油が付着した被洗浄物を洗浄するための組成物として用いることができる。本発明において、洗浄とは、油が付着した被洗浄物から、油を除去することをいう。本発明において、油としては、常温、例えば２０℃において液体であり、水に溶解せず、粘性を感じるものであれば特に限定されないが、例えば鉱物油、フッ素オイル、及びシリコーンオイルが挙げられる。よって、本発明の溶剤組成物の用途として、例えば、油により汚染された被洗浄物用の洗浄剤、例えば切削油、プレス油、引抜き油、熱処理油、防錆油、潤滑油、金属加工油、グリース、フラックス、樹脂、及びワックスにより汚染された被洗浄物用の洗浄剤（具体的には、フラックス洗浄剤や脱脂洗浄剤等）が挙げられる。また本発明の溶剤組成物が、（ａ）成分及び（ｂ）成分からなる場合は、各種洗浄剤により洗浄された被洗浄物のためのリンス洗浄剤や仕上げ洗浄剤として、好ましくは鉱物油が付着した金属加工部品を洗浄するための洗浄剤として使用することができる。
【００３８】
鉱物油とは、天然の石油由来の油分で、精製蒸留されて得られる液状及びグリース状の化学物質である。鉱物油に含まれる成分として、例えばパラフィン系炭化水素、イソパラフィン系炭化水素、ナフテン系炭化水素、芳香族系炭化水素、並びにパラフィン系炭化水素、イソパラフィン系炭化水素、ナフテン系炭化水素及び芳香族系炭化水素からなる群より選択される２以上の炭化水素の混合物が挙げられる。これら炭化水素の具体例は上記の炭化水素系溶剤の具体例として挙げられた炭化水素が挙げられる。このような鉱物油は、市販品として、ユシロ化学工業株式会社製のユシロンオイルＣＸ；出光興産株式会社製のアイソールエース、アイソールソフト、及びアイソール；ジャパンエナジー社製のニッコーホワイトＮ−１０；エクソン化学社製エクソンＤ−４０、及びエクソンナフサＮｏ−５等が挙げられる。本発明において、鉱物油が付着した被洗浄物を洗浄するための溶剤組成物として、（ｃ）成分を含まない溶剤組成物が好ましい。
【００３９】
本発明において、フッ素オイルとは、ポリアルキルエーテル化合物における水素原子の一部又は全部をフッ素で置換した物質であり、塩素及び臭素等のハロゲン、リン、硫黄、及び窒素などの更なる原子を含んでいてもよい。フッ素オイルは、常温で液状又はグリース状である。本発明において、フッ素オイルは、例えば一般式（１）：
ＣＦ3ＣＦ2ＣＦ2Ｏ−（ＣＦ（ＣＦ3）ＣＦ2Ｏ）ｘ−ＣＦ2ＣＦ3      （１）
（式中、ｘは、１以上の整数である）、
一般式（２）：
ＨＯＣＨ2ＣＦ2Ｏ−（ＣＦ2ＣＦ2Ｏ）p−（ＣＦ2Ｏ）q−ＣＦ2ＣＨ2ＯＨ    （２）
（式中、ｐ及びｑは、互いに独立して、１以上の整数である）、
又は、一般式（３）：
Ｆ−（ＣＦ2ＣＦ2ＣＦ2Ｏ）ｙ−ＣＦ2ＣＦ2Ｏ−ＣＨ2ＯＨ    （３）
（式中、ｙは、１以上の整数である）
で示される構造を有する。
【００４０】
上記のフッ素オイルは、市販品として、例えばソルベイソレクシス社製のフォンブリン  Ｙ−ＬＶＡＣ、Ｙ−ＨＶＡＣ、Ｙ０４、及びＹＲ；ＮＯＫクリューバー社製のバリエルタ（ＢＡＲＲＩＥＲＴＡ）Ｊ１００フルード、バリエルタＪ２５フルード、バリエルタＪ４００フルード、バリエルタＪ２５Ｖ、バリエルタＳＪ０７、バリエルタＳＪ１５、及びバリエルタＳＪ３０；デュポン株式会社製のクライトックス１５０６、クライトックス１５１４、及びクライトックス１５２５；ダイキン工業株式会社製のデムナムＳ−２０等が挙げられる。本発明の溶剤組成物は、フッ素オイルのなかで、一般式（１）及び（２）で示されるパーフルオロアルキルエーテルオイルに対して特に優れた洗浄効果を有する。
【００４１】
本発明において、シリコーンオイルとは、シロキサン結合からなる直鎖状ポリマーであるシリコーンオイルであり、主にジメチルシリコーンオイルやメチルフェニルシリコーンオイルの側鎖又は末端に、カルボキシル基、アミノ基、又はエポキシ基などの他の有機基を導入したものであってもよい。このようなシリコーンオイルの具体例としては、ジメチルポリシロキサン、メチルフェニルポリシロキサン、オクタメチルシクロテトラシロキサン、デカメチルシクロペンタシロキサン、ポリオキシエチレン−メチルポリシロキサンなどが挙げられる。このようなシリコーンオイルとしては、市販品として、信越化学社製ＫＦ−９６Ｌ−２ＣＳが挙げられる。
【００４２】
本発明の溶剤組成物を用いて洗浄される被洗浄物は、油が付着した、すなわち油により汚染された各種部品が挙げられる。このような部品として、金属加工物、電気・電子部品、光学部品、自動車部品、機械部品、半導体部品及び表示体部品等が挙げられる。なお、本発明の被洗浄物は、日常的なメンテナンス用、１日に１回〜２回洗浄される被洗浄物であるか、オーバーホール用、例えば６か月〜１年に１回洗浄される被洗浄物であってもよい。
【００４３】
金属加工物としての金属材料としては、鉄、アルミニウム、銅が挙げられる。電気・電子部品としては、プリント基板、及びセラミック基板などの配線基板が挙げられる。光学部品としては、光学レンズ（例えばカメラ用のレンズ）及び光学レンズのための部品（例えばカメラ筐体）が挙げられる。自動車部品としては、自動車用のシャフトやフレーム部品、外装部品等に用いられる金属製部品が挙げられる。機械部品としては、真空ポンプ、半導体製造装置、洗浄装置、モーター、ファンなどの軸受、時計などの精密機械用部品などの軸受、並びに印刷機のローラー等の部品が挙げられる。半導体関連部品としては、ICチップ、抵抗器、などの電子部品が挙げられる。表示体部品としては、液晶基板、有機EL基板、無機EL基板などが挙げられる。これらの部品は、金属製又は樹脂製であり、その形状は板状部材に限らず、断面円形状や矩形状のパイプ状部材や長尺部材であったり、その他、複雑な形状を有する部材であったりする。なお、本発明の溶剤組成物は、洗浄後の乾燥性に優れるため、プリント基板や各種樹脂製部品に付着した塵や埃もあわせて除去することができる。
【００４４】
本発明の溶剤組成物を用いて洗浄される被洗浄物は、金属加工物、光学レンズ、プリント基板、半導体部品及び表示体部品であるのが好ましい。すなわち、本発明の溶剤組成物は、金属加工物、光学レンズ、プリント基板、半導体部品及び表示体部品の洗浄剤であるのが好ましい。
【００４５】
本発明において、被洗浄物を洗浄する方法は、本発明の溶剤組成物を、油が付着した被洗浄物と接触させる工程を含む。本発明の溶剤組成物と、油が付着した被洗浄物とを接触させるための方法としては、特に制限はなく、溶剤組成物への前記被洗浄物の浸漬、溶剤組成物を含浸したスポンジによる前記被洗浄物の拭き取り、及び前記被洗浄物に対する溶剤組成物のスプレー等が好ましく、浸漬による方法がより好ましい。浸漬による方法において、洗浄効果を高めるために、浸漬と同時に、攪拌、揺動、超音波振動、又は液中噴流等による手段を組み合わせることが好ましく、超音波振動による手段を組み合わせることがより好ましい。超音波振動は、発振周波数が２０〜１００ｋＨｚであり、発振出力の洗浄槽の密度で０．２Ｗ／ｃｍ２以上であるのが好ましい。
【００４６】
本発明において、溶剤組成物及び被洗浄物の接触時間に相当する洗浄時間は、被洗浄物に付着した油を洗浄除去できる時間であれば特に制限されない。例えば、超音波振動を組み合わせた浸漬による方法における、油が付着した被洗浄物を洗浄するための洗浄時間は、好ましくは５秒間〜５分間、特に好ましくは１０秒間〜１分間であり、浸漬による方法における、油が付着した被洗浄物を洗浄するための洗浄時間は、好ましくは１０分〜５時間、特に好ましくは３０分〜２時間である。上記洗浄時間未満である場合は洗浄が不十分で、付着した油を被洗浄物から十分に除去できない場合があり、一方、上記洗浄時間を超えた場合は、洗浄効果が格別向上しない。
【００４７】
本発明において洗浄温度は、好ましくは２０〜１２０℃である。このような温度において、より高温で処理することにより洗浄効果を上昇させることができる。
【実施例】
【００４８】
以下、本発明を実施例及び比較例によりさらに詳細に説明するが、本発明はこれら実施例により限定されるものではない。
【００４９】
植物系脂肪酸エステルとして、カネダ化学社製植物油ベースソルベントベジソル（登録商標）ＣＭ（Ｃ１４〜Ｃ１８不飽和脂肪酸メチルエステル及びＣ１６〜Ｃ１８不飽和脂肪酸メチルエステルの混合物）を用いた。ＨＦＣとして、１，１，１，３，３−ペンタフルオロブタンを用い、ＨＦＥとして、住友スリーエム社製ノベックＨＦＥ７１００（メチルノナフルオロイソブチルエーテル及びメチルノナフルオロｎ−ブチルエーテルの混合物）を用いた。炭化水素系溶剤として、日鉱日石エネルギー株式会社製ＮＳクリーン１００ＪＸ（パラフィン系炭化水素）を用いた。そして、モノテルペン系溶剤として、ｄ−リモネンを用いた。実施例１〜２５及び比較例１〜３の溶剤組成物を、表１〜表３で示される組成で各成分を混合することにより調製した。なお、表１〜３における数値は、重量部である。
【００５０】
試験例１  金属加工油の溶解試験
金属加工油として、ユシロ化学製のユシロンオイルＣＸを用いた。試験管に、実施例１〜２５及び比較例１〜３の溶剤組成物５ｇを入れた。そこに金属加工油１ｇを添加し、ガラス棒で５分撹拌した後、１時間静置させた。静置後、混合液の濁り（白濁）、分離の発生の有無を目視により判定した。試験例１の結果を表１〜３に示す。
【００５１】
【表１】
2014091785.tif 000002
【００５２】
【表２】
2014091785.tif 000003
【００５３】
【表３】
2014091785.tif 000004
【００５４】
○：液の濁り又は分離が見られない
×：液の濁り又は分離が見られる
【産業上の利用可能性】
【００５５】
本発明の溶剤組成物は、植物系脂肪酸エステルを含有するため、グリコールエーテルを含有する溶剤組成物や塩素系溶剤と比較して毒性が少ない。また、本発明の溶剤組成物は、鉱物油をはじめとする様々な種類の油に対して優れた溶解力を発揮し、油が付着した被洗浄物に対して良好な洗浄効果を有する。よって、本発明の溶剤組成物は、油が付着した被洗浄物のための洗浄剤として工業的に極めて有用である。